(57)【要約】【課題】  隣接する羽根車の圧力変動に起因する騒音を低減する送風機を提供すること。【解決手段】  箱状を成し複数の風路４が第１の方向に複数並んで形成されるとともに、背面に各風路４に共通な共通吸込口２１が第１の方向に延びて形成され、対向する前面に各風路４に共通な共通吹出口３が第１の方向に延びて形成された筐体１と、各風路４内にそれぞれ配設されて共通吸込口２１から共通吹出口３へ向かう気流を発生させる軸流羽根車５及び軸流羽根車５を駆動する電動機６とを備え、共通吸込口２１から吸い込み各風路４を流通した空気流を共通吹出口３にて合流させて帯状に放出する送風機であり、共通吸込口２１は、複数並んで形成された風路４の風路吸込口２間に立設された仕切板１２により仕切られている。【選択図】        図２
2011169295.tif 000002
【特許請求の範囲】
【請求項１】
箱状を成し背面側から前面側に貫通する複数の風路が第１の方向に複数並んで形成されるとともに、背面に各風路に共通な共通吸込口が第１の方向に延びて形成され、対向する前面に各風路に共通な共通吹出口が第１の方向に延びて形成された筐体と、前記各風路内にそれぞれ配設されて前記共通吸込口から前記共通吹出口へ向かう気流を発生させる羽根車及び前記羽根車を駆動する電動機とを備え、前記共通吸込口から吸い込み前記各風路を流通した空気流を前記共通吹出口にて合流させて帯状に放出する送風機であり、
前記共通吸込口は、複数並んで形成された前記風路の風路吸込口間に立設された仕切板により仕切られている
ことを特徴とする送風機。
【請求項２】
前記共通吸込口は、前記仕切板により、円形の前記風路吸込口の周囲を囲む矩形に仕切られている
ことを特徴とする請求項１に記載の送風機。
【請求項３】
前記仕切板は、少なくとも前記風路吸込口に向く表面が消音材で作製されている
ことを特徴とする請求項１または２に記載の送風機。
【請求項４】
前記羽根車が、軸流羽根車である
ことを特徴とする請求項１から３のいずれか１項に記載の送風機。
【請求項５】
前記共通吹出口に、合流した気流を整流するとともに消音する消音材が設けられている  ことを特徴とする請求項１から４のいずれか１項に記載の送風機。
【発明の詳細な説明】
【技術分野】
【０００１】
この発明は、複数並んで設けられた羽根車を備え、建物内の天井面や壁面に設置されて、帯状の気流を自由空間に放出する送風機に関する。
【背景技術】
【０００２】
このような帯状の気流を発生する送風機によれば、細長箱状の筐体内に複数の風路とこの風路にそれぞれ設けられた羽根車が並んで設けられ、筐体の前面と背面には、各風路に共有な一つの大きな吸込口と一つの大きな吹出口とが形成されている。
【先行技術文献】
【特許文献】
【０００３】
【特許文献１】特開平６−３１３６０３号公報
【発明の概要】
【発明が解決しようとする課題】
【０００４】
上記のように、複数の風路とこの風路にそれぞれ設けられた羽根車が並んで設けられた送風機、各風路に共有に設けられた吸込口において、気流が互いに干渉し、隣接する羽根車の圧力変動に起因する羽根車の回転騒音の干渉によって耳障りなうなり等の騒音が発生する場合がある。特に軸流羽根車においては隣接する部分において羽根車の回転方向が互いに逆となるため、顕著であった。
【０００５】
本発明は、上記に鑑みてなされたものであって、複数の風路とこの風路にそれぞれ設けられた羽根車が並んで設けられた送風機において、隣接する羽根車の圧力変動に起因する騒音を低減することができる送風機を提供することを目的とする。
【課題を解決するための手段】
【０００６】
上述した課題を解決し、目的を達成するために、本発明の送風機は、箱状を成し背面側から前面側に貫通する複数の風路が第１の方向に複数並んで形成されるとともに、背面に各風路に共通な共通吸込口が第１の方向に延びて形成され、対向する前面に各風路に共通な共通吹出口が第１の方向に延びて形成された筐体と、各風路内にそれぞれ配設されて共通吸込口から共通吹出口へ向かう気流を発生させる羽根車及び羽根車を駆動する電動機とを備え、共通吸込口から吸い込み各風路を流通した空気流を共通吹出口にて合流させて帯状に放出する送風機であり、共通吸込口は、複数並んで形成された風路の風路吸込口間に立設された仕切板により仕切られていることを特徴とする。
【発明の効果】
【０００７】
本発明の送風機によれば、共通吸込口が、複数並んで形成された風路の風路吸込口間に立設された仕切板により仕切られるので、羽根車間の吸込流が整流され干渉音の発生を防止する。
【図面の簡単な説明】
【０００８】
【図１】図１は、この発明にかかる送風機の実施の形態の正面図である。
【図２】図２は、送風機の横断面図である。
【図３】図３は、図２のＢ−Ｂ断面で一部を破断した送風機の背面図である。
【図４】図４は、送風機を背面側から見た斜視図である。
【図５】図５は、図３のＡ部分を拡大した斜視図である。
【図６】図６は、送風機を空気搬送に利用した場合の模式図である。
【図７】図７は、送風機をサーキュレーションに利用した場合の模式図である。
【図８】図８は、送風機を涼風用に利用した場合の模式図である。
【図９】図９は、送風機をエアカーテンに利用した場合の模式図である。
【発明を実施するための形態】
【０００９】
以下に、本発明にかかる送風機の実施の形態を図面に基づいて詳細に説明する。なお、この実施の形態によりこの発明が限定されるものではない。
【００１０】
実施の形態.
本実施の形態によれば、帯状の気流を自由空間に放出する送風機において、流路に消音構造を設けることによって低騒音の送風機を得ることができる。また、羽根車の回転数を上げて気流の到達距離性能を向上させることを試みた場合においても、羽根車から発生騒音は大きくなるが、本発明を利用することで送風機外に伝播する騒音を低減させることが可能となる。
【００１１】
図１は、この発明にかかる送風機の実施の形態の正面図である。図２は、送風機の横断面図である。図３は、図２のＢ−Ｂ断面で一部を破断した送風機の背面図である。図４は、送風機を背面側から見た斜視図である。図５は、図３のＡ部分を拡大した斜視図である。
【００１２】
送風機１００は、外殻を形成する細長箱状の筐体１と、この筐体１内に並んで設けられた複数の送風機ユニット８０から構成されている。筐体１は細長直方体箱状を成し内部にベルマウス状の５個の風路４が第１の方向に等間隔に並び、筐体１の背面から前面（上流から下流）に貫通するように形成されている。各風路４には、背面側から軸流羽根車（羽根車）５とこれを駆動する電動機６とがこの順で配設されている。ベルマウス状の風路４と軸流羽根車５と電動機６とで１つの送風機ユニット８０が構成されている（図２）。
【００１３】
筐体１の背面側には、筐体１のほぼ全面にわたり吸込口（共通吸込口）２１が形成されている（吸込口２１は第１の方向に延在）。一方、筐体１の前面側には、筐体１のほぼ全長にわたり２段に分割された細長長尺形状の吹出口（共通吹出口）３が形成されている（吹出口３は第１の方向に延在）。吸込口２１と吹出口３とは、各風路４に共通に形成されている。筐体１の背面側端面１ａには、外周部に沿って平板状の消音材（吸込側消音材）９が、矩形枠状に立設されており、吸込口２１は、この枠状の消音材９の内側に形成されている。つまり、吸込口２１から消音材９の高さだけ凹状に窪んだ位置に筐体１の背面側端面１ａが存在している。そして、消音材９の内側の背面側端面１ａにベルマウス状の風路４の円形の開口である風路吸込口２が並んで形成されている。背面側端面１ａの位置は、消音材９の外端より内側に５０ｍｍ奥まった位置である。上記のように、風路吸込口２から吹出口３へ通じる風路４内に、軸流羽根車５及び電動機６がこの順で配設されている。風路吸込口２より１０ｍｍ下流側に軸流羽根車５の先端が位置している。
【００１４】
吸込口２１は、格子状の保護ガード８により覆われている。保護ガード８は、風路４内への異物侵入防止、指などが羽根に接触することによるけがの防止、万が一羽根などの部品が外れた場合の飛散防止として設置されている。なお、本実施の形態の保護ガード８は、ワイヤにより格子状に作製されているが、これにかぎらず、網・パンチングメタルなど気流のみを通すことが可能な材料にて作製されてもよい。
【００１５】
そして、背面側端面１ａには、隣り合う風路吸込口２を仕切るように、仕切板１２が立設されている。すなわち、保護ガード８と背面側端面１ａとの間に形成された筐体１の背面全体にわたる板状の空間を、各風路４毎に分断するように仕切板１２が立設されている。仕切板１２は消音材にて作製され隣接する風路吸込口２の中央に立設されている。仕切板１２は、隣接する風路４を各々独立させ、吸込流の干渉を防止するために消音材９の内側に設けられている。仕切板１２は消音材９とともに円形の風路吸込口２の周囲を矩形の空間に仕切る。仕切板１２はベルマウス状の風路４の入口である風路吸込口２の開口縁に全周にわたって形成されたＲ面取部１９にかからないように且つＲ面取部１９の最外径部に接するようにして立設されている。
【００１６】
風路４は、風路吸込口２から吹出口３にかけて筐体１の上下方向の中央に向かい軸流羽根車５の中心に対して均等に絞って断面積を漸減させる傾斜状に形成されている。そして、流路４は内壁面の流体に接する部分が消音材で構成されている。電動機６を保持する電動機保持部１５は、風路４に一体化されており、電動機保持部１５と形状を維持するための強度確保上必要な部分を除き、流路内壁の流体に接する部分は消音材で構成されている。
【００１７】
電動機６の下流側に、断面が略三角形のガイド７が電動機６側に凸部を向けて配置されている。ガイド７は風路４内を通過した気流を上下方向に２分割させる。ガイド７は消音材で構成してもよい。
【００１８】
ガイド７のさらに下流に、吹出口中央部消音材１１が設置されている。また、筐体１の前面側端面には、外周部に沿って矩形枠状の消音材（吹出口消音材）１３が設けられており、吹出口中央部消音材１１は、矩形枠状の消音材１３の中央部を筐体１の全長にわたって延び消音材１３とともに二段細長孔の吹出口３を形成している。吹出口中央部消音材１１とガイド７の接合部は、風路４内を流通する気流Ｆを乱すことがないように段差が無く滑らかに形成されている。なお、吹出口中央部消音材１１が重力により下方向にたわむことを防止するため、吹出口中央部消音材１１の上下方向中央部分に、吹出口中央部消音材用補強材１４が埋設されている。
【００１９】
このように構成された送風機１００は、筐体１の両端に設けられた取付足１０によって天井や壁面などに取り付けられる（図４）。気流Ｆは、図２に矢印にて示すように、保護ガード８のスリットの隙間から送風機１００内に進入して、吸込口２１を通って、各風路吸込口２から各風路４内に入り、軸流羽根車５により風路４内を移動し、ガイド７により、上下に分断され２段に形成された細長長尺の吹出口３から帯状の気流となって自由空間に放出される。放出された気流によりサーキュレーションなどの目的を達成する。
【００２０】
上記のように、吹出口３は、吹出口中央部消音材用補強材１４で２分割された細長孔であり、本体の上下方向に２つ平行に配置されている。吹出口３は、各々の風路４の出口から吹出す気流を合流させ、帯状気流を形成する。消音材１３と吹出口中央部消音材１１とは、吹出口３近傍における風路４のストレート部分を延長することで、気流到達性能を上げるためのノズルとしての役割も果たしている。なお、気流の吹出口側に消音材１３を設けることにより、その整流作用は、吸込口側にも作用して吸込口側の消音効果を倍増させる。
【００２１】
本送風機１００から吹出す気流は、平均風速５〜１３ｍ／ｓであり、１０〜５０ｍ先に０．３ｍ／ｓの気流を到達させることが可能である。風速や気流到達距離は軸流羽根車５の径や電動機６の出力により決定される。
【００２２】
本実施の形態においては、消音材として、グラスウールの密度４８ｋｇ／ｍ３と同等な吸音性を持つものを用いている。消音材の他に材質としては、不織布、ペット樹脂なども使用することができる。
【００２３】
図６は、本実施の形態の送風機１００の設置される様子を示す模式図である。送風機１００は、例えば、図６に示すように建物内の天井面や壁面に設置されて、片側の壁面に設置された換気扇１７により室内に取り込まれた新鮮外気を、空気流Ｆ１として、反対側の壁面の排気用の換気扇１７に向かわせ搬送するために使用される。
【００２４】
図７は、他の使用目的により送風機１００が他の形態で設置される様子を示す模式図である。送風機１００は、図７に示すように、建物内の天井面や壁面に設置されて、空調機１８から吹出された空調気流Ｆ２を部屋全体に撹拌するためのサーキュレーションとして使用される。
【００２５】
図８は、さらに他の使用目的により送風機１００が他の形態で設置される様子を示す模式図である。送風機１００は、図８に示すように天井面や壁面に設置されて、室内に居る人に対して気流Ｆ３を当てることにより、涼風感を与える送風機として使用される。
【００２６】
図９は、さらに他の使用目的により送風機１００が他の形態で設置される様子を示す模式図である。送風機１００は、図９に示すように建物の出入口など三方枠の上部横枠に下方を向けて設置され、吹き出す帯状気流Ｆ４により出入口内外の空気の流れを遮断するエアカーテンとして使用される。
【００２７】
以上のように、本実施の形態は、隣接した羽根車の吸込流を整流し干渉音の発生を防止することにより低騒音化を実現するものである。このとき軸流羽根車５とベルマウス状の風路吸込口２の位置関係を変化させ、風路４上流端の円筒部を保護ガード８側へ延長し、風路吸込口２と軸流羽根車５の間に吸込流を整流できる距離を確保して干渉音の発生を防止することを考えた場合には、吸込面積が円筒部の面積となり、整流しない場合に比べ吸込面積は大きく減少する。そのため流れる気流の流速が上がり、流体騒音が増大するため好ましくない。
【００２８】
これに対して本実施の形態の送風機１００によれば、風路吸込口２を形成する背面側端面１ａに仕切板１２を立設することにより、隣接した軸流羽根車５間の吸込流を整流して、隣接する羽根車間の圧力変動に起因する羽根車の回転騒音の干渉による耳障りなうなり等の騒音の発生を防止でき、吸込面積も仕切板１２が無い場合に比べても大きく減少することはない。そのため、流速が上がることによる流体騒音の増大も少ない。また保護ガード８を通過する気流の流速が下がることによる流体騒音低減効果もある。Ｒ面取部１９は流路面積が変化する部分における気流のはく離を抑制する。このような、効果によって送風機の低騒音化に寄与する。
【００２９】
さらに、本実施の形態によれば、仕切板１２を消音材で構成する場合に、長方形消音材で構成が可能であるため、円筒形もしくはベルマウス状の消音材を構成する場合にくらべ、消音材の製作も容易である。
【産業上の利用可能性】
【００３０】
この発明の送風機は、複数並んで設けられた羽根車を備え、建物内の天井面や壁面に設置されて、帯状の気流を自由空間に放出する送風機に好適なものであり、特に騒音が障害となる静かな設置場所に据え付けられる送風機に最適なものである。
【符号の説明】
【００３１】
１  筐体
１ａ  筐体の背面側端面
２  風路吸込口
３  吹出口（共通吹出口）
４  風路
５  軸流羽根車（羽根車）
６  電動機
７  ガイド
８  保護ガード
９  吸込側消音材
１０  取付足
１１  吹出口中央部消音材
１２  仕切板
１３  吹出口消音材
１４  吹出口中央部消音材用補強材
１５  電動機保持部
１９  Ｒ面取部
２１  吸込口（共通吸込口）
１００  送風機
【図１】
2011169295.tif 000003
【図２】
2011169295.tif 000004
【図３】
2011169295.tif 000005
【図４】
2011169295.tif 000006
【図５】
2011169295.tif 000007
【図６】
2011169295.tif 000008
【図７】
2011169295.tif 000009
【図８】
2011169295.tif 000010
【図９】
2011169295.tif 000011